(57)【要約】【課題】従来の、基板ケースを開放すると当該ケースに収納されている基板が破壊される不正行為防止手段は、ＲＯＭの破損により正規にＲＯＭを交換するとき、また、基板の検査などにより不正行為に基づかないで基板ケースを開放場合においても常に基板が破壊されるので、当該開放の都度、同様のＣＰＵ、ＲＯＭ、ＲＡＭなどの部品を搭載した基板を調達しなければならない問題があった。【解決手段】基板ケースが不正に開放されるときは、基板に係合する係合片が当該開動作に連動して変位することにより、前記基板を破壊してスロットマシンを動作不能とする一方、認証手段により認証された正規の基板ケースの開放に際しては、前記係合片を基板と係合しない非係合位置に変位させることにより、当該係合片が基板ケースの開動作に連動して変位しても当該基板を破壊することなく開放可能とする。【選択図】図２
2010094279.tif 000002
【特許請求の範囲】
【請求項１】
遊技機の遊技動作を制御する部品が搭載された基板を収納する基板ケースであって、
当該基板ケースはケース筐体と当該ケース筐体を覆う開閉可能なケース蓋体から構成され、
前記ケース筐体には前記基板が固定され、
前記ケース蓋体には、
前記基板の回路部に係合する係合位置と、係合しない非係合位置に変位可能な係合片と、
当該係合片を変位させる変位手段と、
当該変位手段を操作する操作手段と、
当該操作手段の操作が有効か否かを判定する認証手段
が配設され、
前記認証手段により有効と判定された操作手段の操作に基づいて変位手段が係合片を非係合位置へ変位させて、ケース蓋体の開放動作に連動する係合片がケース蓋体の開放時に基板を破壊しないことを特徴とする基板ケース。
【請求項２】
前記係合片が基板の回路部に係合する係合位置は、基板に設けた開孔部を橋絡する細い基板の、ケース蓋体の開動作方向に対して最後尾となる面である請求項１記載の基板ケース。
【請求項３】
前記回路部が電源回路である請求項１又は２記載の基板ケース
【発明の詳細な説明】
【技術分野】
【０００１】
本発明は、パチンコ機やスロットマシン等の遊技機の遊技動作を制御するための基板を収納する基板ケースに関するものである。
【背景技術】
【０００２】
パチンコ機に代表される弾球遊技機には、遊技動作を制御するためのプログラムを記憶したＲＯＭ、プログラムを実行するＣＰＵ等の部品を搭載した基板が設けられ、当該基板は、搭載済みのＲＯＭに代えて、パチンコ球が入賞口に入ったとき、又はメダルのベット投入後のスタート操作の契機に基づいて行われる抽選の当選確率を高くする等の不正なプログラムが記憶されている不正ＲＯＭに交換される等の不正行為が行われることを防止するために、一旦収納されると破断しない限り再度分離できない基板ケースに収納されている。
なお、不正に多くの遊技利益（パチンコ球やメダル等の賞品）を得られるようにする為、不正ＲＯＭ交換に関する悪意ある手口が年々巧妙化するという業界特有の事情がある。
前記基板ケースとしては、遊技機側に取付けられるケース本体に設けられた破断可能部と、当該ケース本体と対になって当該基板ケースを密閉するケースカバーに設けられた破断可能部とを、一旦連結すると再度分離することができない固定手段にて固定し、当該破断可能部を破断して基板ケースを開放すると、当該破断可能部に配設された電気配線が同時に切断されるので、当該切断を検知することにより当該ケースカバーが開放されたことを検出する不正行為防止手段を備えた基板ケースが従来知られていた（特許文献１参照）。
【０００３】
しかしながら、特許文献１に開示された技術によっても電気配線が施されていない破断可能部を破断して基板ケースを開放する不正が後を絶たなかったので、その対策として、蓋体が開放されるとベース本体と蓋体との連結が破壊され、当該連結部を介して基板に接続されていた電力供給線が切断されてスロットマシンを動作不能とする不正行為防止手段も知られていた（特許文献２参照）。
【特許文献１】特開２００６−６５３５号公報
【特許文献２】特開２００８−１１９０３０号公報
【発明の開示】
【発明が解決しようとする課題】
【０００４】
前記特許文献２に開示された不正行為防止手段では、ＲＯＭが破損してＲＯＭを交換する必要が生じたとき、また、検査などにより基板を基板ケースから取り出すとき等、不正行為に基づかない基板ケースの正規の開放においても常に基板が破壊されるので、当該開放の都度、同様のＣＰＵ、ＲＯＭ、ＲＡＭなどの部品を搭載した基板を調達しなければならない問題があった。
【０００５】
本発明は、上記の課題を解決するためになされたものであり、その目的は、正規のＲＯＭを不正ＲＯＭに交換する等、基板ケースが不正に開放されるときは収納されている基板を破壊してスロットマシンを動作不能とする一方、前記検査などによる基板ケースの正規の開放に際しては当該基板を破壊することなく開放可能とすることにより、従来、基板ケース開放の都度必要とされていた基板の調達を不要とする基板ケースを提供することである。
【課題を解決するための手段】
【０００６】
弾球遊技機の遊技動作を制御する部品が搭載された基板を収納する基板ケースであって、当該基板ケースはケース筐体と当該ケース筐体を覆う開閉可能なケース蓋体から構成され、
前記ケース筐体には前記基板が固定され、前記ケース蓋体には、前記基板の回路部に係合する係合位置と、係合しない非係合位置に変位可能な係合片と、当該係合片を変位させる変位手段と、当該変位手段を操作する操作手段と、当該操作手段の操作が有効か否かを判定する認証手段が配設され、前記認証手段により有効と判定された操作手段の操作に基づいて変位手段が係合片を非係合位置へ変位させて、ケース蓋体の開放動作に連動する係合片がケース蓋体の開放時に基板を破壊しないことを特徴とする基板ケース。
【発明の効果】
【０００７】
本発明による基板ケースは、不正に開放されると、基板と係合する係合片が当該開放動作に連動して変位し、基板を破壊するものであるが、正規に開放されるときには当該係合片が基板と係合しない位置に変位するので、当該開放によるも基板が破壊されることはないから、正規の開放、不正な開放に拘わらず基板を破壊していた従来の基板ケースに比べて、正規の開放のときは基板が破壊されないので、基板を調達するコストを不要にする効果を有する。
【発明を実施するための最良の形態】
【０００８】
発明の実施の形態について図面を参照して説明する。
図１は本発明の第１の実施形態に係わる基板ケースの外観図、図２は図１のＸ−Ｘ断面図、図３は図２のＹ−Ｙ、Ｚ−Ｚ断面図、図４は第２の実施形態における図２と同様の断面図、図５は図４のＶ−Ｖ断面図である。
【０００９】
まず、第１の実施例について図１、図２を用いて説明する。
本実施形態に係わる基板ケース１は、基板２を固定する矩形状のケース筐体１−１と、当該ケース筐体１−１と対になって基板を密閉するケース蓋体１−２と、ケース蓋体１−２をケース筐体１−１に対して回動可能とするヒンジ部１−３と、ケース蓋体１−２とケース筐体１−１とを一旦連結すると再度分離することができない固定手段９を備え、しかも、当該ケース蓋体１−２の上面には、認証手段３の操作部としてのテンキー３−１が配設され、さらに当該上面に配設された係合キー４−１、解除キー４−２と、その下面側に配設されて基板２の破断対象基板部２−２と係合する係合位置アと、係合しない非係合位置イとに変位可能なＬ字状係合片５と、当該Ｌ字状係合片５を変位させる手段としてのソレノイド４−３とから成る係合片変位手段４が配設されている。
【００１０】
また、基板２には、ＲＯＭ、ＲＡＭ、ＣＰＵ等の部品、当該部品間を接続する回路、入出力端子、信号線、および、電力給線７、前記認証手段３と係合片変位手段４等をバックアップするバックアップ電源８が配設されている。
また、前記固定手段９は、ケース蓋１−２に設けられた破断可能部としてのケース蓋連結突部１−２１と、同様にケース筐体１−１に設けられた破断可能部としてのケース筐体連結突部１−１１とが、当該両連結突部１−１１、１−２１に設けられている図示しない連結用ネジ孔に螺入されたワンウエイネジ９−１にて固定される固定手段である。
【００１１】
次に、基板２とＬ字状係合片５の係合、非係合について説明する。
図２に示されるようにＬ字状係合片５は略Ｌ字型をしており、その立ち上がり部５−１の上端部は、ケース蓋体１−２の下面側から適宜位置に保持されたソレノイド４−３により回動軸５−３を中心として、係合位置ア、非係合位置イに変位可能に保持され、その下端部は前記立ち上がり部５−１から略直角方向に延出した延出部５−２となっており、その断面形状は図３（ｂ）に見られるように略３角形となっており、当該三角形の頂点（鋭角な刃物形状）が、基板内で部分的に脆弱としている破断対象基板部２−２の下面に当接している。
なお、破断対象基板部２−２の脆弱のさせ方は、基板の厚み又は幅を部分的に薄くしたり、スリットを入れたりするなど適宜な方法を適用可能とする。
前記係合位置アは、基板２に設けられた開孔部２−１を橋絡し、電源回路２−２１が配線された破断可能（橋状の細い基板）な破断対象基板部２−２の下面に前記延出部５−２が当接している位置を指し、非係合位置イとは、ソレノイド４−３の作用によりＬ字状係合片５が回動軸５−３を中心に回転し、前記延出部５−２が破断可能な破断対象基板部２−２の最後尾端面２−２２である下面から前記開孔部２−１を通過して基板２の上方に変位した位置を指す。
【００１２】
次に、係合片変位手段４の動作について説明する。
まず、前記固定手段９が固定解除されてケース基板１を正規に開放する場合について説明する。
図１に示されるテンキー３−１にパスワードが入力されて、当該パスワードを認証手段３が正しいと判断したときは、解除キー４−２が点滅して当該解除キー４−２の押圧を促す表示を所定期間行い、当該所定期間中に当該解除キー４−２が押圧されると、ソレノイド４−３が励磁されて、係合位置アにあるＬ字状係合片５が回動軸５−３を中心として非係合位置イに回転変位するので、ケース蓋体１−２がヒンジ部１−３を中心に回動する開動作が行われても、当該開動作に連動するＬ字状係合片５が電源回路２−２１の配線された前記破断対象基板部２−２を破壊することはない。
【００１３】
なお、前記所定期間内に前記解除キー４−２が押圧されないときは、前記パスワード入力が無効となり、再度パスワード入力から行うこととなる。
また、ソレノイド４−３によるＬ字状係合片５の回転手段の例としては、ソレノイド４−３の励磁により吸引されるアクチュエータが、前記回動軸５−３から放射方向に延びた突部を前記吸引に連動して変位させることによりＬ字状係合片５を回転する回転手段を挙げることができる。
【００１４】
次に、ケース蓋体１−２が不正に開放される場合について説明する。
ケース蓋体１−２が不正に開放される場合は前記パスワードが知られていないので、テンキー３−１にパスワードは入力されないか、入力されたとしても不適正なパスワードとなるから、前記Ｌ字状係合片５は係合位置アに留まったままとなる。
そこで、ケース蓋体１−２がヒンジ部１−３を中心に回動する開動作を行うと、Ｌ字状係合片５の延出部５−２がケース蓋体１−２の回転に伴って上方向へ移動するので、電源回路２−２１が配線された前記破断対象基板部２−２の下面を下から上に、すなわち、ケース蓋体１−２の移動方向対して前記破断対象基板部２−２の最後尾端面２−２２となる下面を下から上に向けて破壊することとなる。
【００１５】
また、ケース蓋体１−２が正規に開放されたときは、ケース蓋体１−２とケース筐体１−１を連結した後係合キー４−２が押圧されることで、Ｌ字状係合片５が非係合位置イから係合位置アに変位すると共に、認証手段がリセットされる。
一方、不正にケース蓋体１−２が開放されたときは、Ｌ字状係合片５は係合位置アに留まったままとなる為に、基板２は破断対象基板部２−２の破損に伴ってその回路が破壊されているので、そのままの状態で放置すると目立って早期かつ容易に不正が発見でき、仮に、正規ＲＯＭだけ取り外して不正ＲＯＭと交換したとしても、遊技機は正常動作をしない。
なお、本実施例では、ケース蓋体１−２が不正開放された際に、Ｌ字状係合片５（又は、後述のＩ字状係合片６）を手動で変位できなくする為に、Ｌ字状係合片５（又は、後述のＩ字状係合片６）を係合位置アに固定維持するストッパ（図示せず）が設けられている。
また、このストッパは、認証に基づいて正規にケース蓋体１−２が開放されたときは、係合位置アの固定位置からの変位を許容する退避位置に移動させる為の所定の駆動手段（図示せず）も設けられている。
これにより、ケース蓋体１−２が不正に開放され、破断対象基板部２−２及び回路が破壊された基板を、新規に用意した不正基板に交換しょうとした場合において、ケース蓋体１−２の開閉を規制することができる。
なお、出荷時、又は不正被害があった後などにおいて、正規な基板をケース筐体１−１に固定した後、前記と同様にケース蓋体１−２とケース筐体１−１とを連結した後係合キー４−２が押圧されることでＬ字状係合片５が非係合位置イから係合位置アに変位すると共に、認証手段がリセットされる。
【００１６】
次に、第２の実施形態を図４に基づいて説明する。
第２の実施形態と第１の実施形態との主たる相違は、ケース蓋体１−２の開動作が第１の実施形態ではヒンジ部１−３を回動軸とした回転動作であるのに対し、第２の実施形態ではスライド動作である点で相違する。
そこで、当該相違する動作、および係合片の作用を中心に説明する。
当該説明に際して用いる図４は、第１の実施形態に示した構成と同様の意義を有する構成については、図２に付した符号と同じ符号を付してある。
【００１７】
図４に示されるように係合片変位手段４は、Ｉ字状係合片６と、励磁、非励磁に応じて前記Ｉ字状係合片６を係合位置アと非係合位置イに変位させるソレノイド４−３を備え、当該Ｉ字状係合片６の断面形状は図５に見られるように略３角形をしており、当該３角形の頂点が前記破断対象基板部２−２との係合位置にて当接している。
前記係合位置アは、基板２の開孔部２−１をその開孔部２−１の端部で橋絡し、電源回路２−２１が配線された破断対象基板部２−２の右側端面、すなわち、ケース蓋１−２の移動方向であるＡ方向に対して最後尾となる破断対象基板部２−２の最後尾端面２−２２を指し、非係合位置イは、ソレノイド４−３の励磁により当該Ｉ字状係合片６が吸引され、前記破断対象基板部２−２の最後尾端面２−２２から離隔して基板２上方に変位した位置を指す。
【００１８】
まず、基板ケース１を正規に開放する場合について説明する。
前記第１実施態様と同様に、有効なパスワードが入力されたと認証手段３が判断すると、ソレノイド４−３が励磁されるので、係合片６は吸引されて破断対象基板部２−２の前記最後尾端面２−２２から離隔上昇する。
すると、ケース蓋１−２が左方向にスライドする開動作を行っても、当該開動作と共に変位するＩ字状係合片６は破断対象基板部２−２を破壊することはない。
【００１９】
次に、基板ケース１が不正に開放される場合について説明する。
前記第１の実施形態と同様、ケース蓋体１−２が不正に開放される場合は前記パスワードが知られていないので、テンキー３−１にパスワードは入力されないか、入力されたとしても不適正なパスワードとなるから、前記係合片６は係合位置ア、すなわち、破断対象基板部２−２の最後尾端面２−２２に留まったままとなる。
そこで、ケース蓋体１−２がＡ方向にスライドする開動作を行うと、当該開動作に連動してＩ字状係合片６がＡ方向にスライドすることとなるので、電源回路２−２１が配線された破断対象基板部２−２は前記Ｉ字状係合片６により破壊される。
【００２０】
上記実施例によれば前記した効果以外にさらに以下の効果を奏する。
前記開孔部を図２、図４に示すように、周囲に部品が搭載されていない基板端部に設けたので、係合片を非係合位置イに変位させるときの変位量も搭載部品の高さを考慮する必要がなく基板の厚さ程度の少ない変位量で十分であるから、ソレノイド等の変位手段を小型化でき、かつ消費電力が少なくて済む効果を有する。
さらに、破断対象基板部と接触する係合片の断面形状を略三角形とし、当該三角形の頂点において当該破断対象基板部に当接させたので、当該基板を破壊する力が小さくて済む効果を奏する。
また、当該破断対象の基板に配設された回路が電源回路配線であるから、当該基板が破壊されると遊技機の全機能が停止し、一部が動作することは無いので、不正行為が行われた遊技機を容易、かつ確実に認識できる効果を奏する。
【００２１】
前記実施形態の変形例として以下のようにしても良い。
（１）．前記実施形態においては、認証手段にて認証されると解除キーの押圧操作を行って変位手段を動作させ、係合片を係合位置に変位するようにしたが、解除キーの押圧操作を行うことなく認証手段の認証出力にて当該変位手段を動作させてもよい。
すると、操作動作が簡素化される効果を有する。
（２）．前記実施形態においては、認証手段として、テンキーとパスワードによる認証手段としたが、虹彩による認証、指紋による認証等如何なる認証手段を用いても良い。
すると、ケース蓋体の開放者の特定が容易になり、さらに開動作の認証履歴を記憶しておくとケース蓋体の開放者の特定がより容易となり、遊技機の管理が万全となる効果を有する。
（３）．前記実施形態においては、係合片は常時係合位置に保持されているが、遊技機に電力が供給されている遊技期間中は不正行為が行われにくいことから、遊技が終了し、当該電力の供給が遮断され後に係合片が係合位置に保持されるようにしても良い。
【００２２】
（４）．前記実施形態においては、係合片は常時係合位置に保持されているが、常時非係合位置に保持しておき、認証なくケース蓋の開動作が検知されたときに係合位置に保持されるようにしても良い。
例えば、ケース蓋体の開動作による変位を検出する変位検出手段を配設し、当該変位検出手段が変位を検出したにも拘わらず、認証手段から認証出力がないときは、ソレノイドを動作させて係合片を係合位置に変位させるようにしてもよい。
（５）．前記実施形態においては、認証手段の認証受付期間については特に規定していなかったが、遊技機の起動状態中にケース蓋体１−２が開放されないようにする為に、バックアップ電源、又は別に予め用意した予備電源を利用して、遊技機の起動停止状態時のみしか認証手段の認証受付をできなくするようにしても良い。
また、認証手段の認証受付回数を一定数に達するまでというように、認証回数を制限するようにしても良い。
（６）．前記第１の実施形態と第２の実施形態とでは、基板の開孔部と破断対象基板部との配置関係が相違するが、ケース蓋体の開動作の相違に拘わらずどちらの配置関係を採用しても良い。
すると、ケース基板が配設される箇所のスペースに応じて最適な開動作の基板ケースを採用できるのでスペースファクタが良くなる効果を有する。
【図面の簡単な説明】
【００２３】
【図１】本発明の第１の実施形態に係わる基板ケースの外観図である。
【図２】図１のＸ−Ｘ断面図である。
【図３】図２のＹ−Ｙ、Ｚ−Ｚ断面図である。
【図４】第１の実施形態における図２と同様の断面図である。
【図５】図４のＶ−Ｖ断面図である。
【符号の説明】
【００２４】
ア  係合位置
イ  非係合位置
１  基板ケース
１−１  ケース筐体
１−１１  ケース筐体連結突部
１−２  ケース蓋体
１−２１  ケース蓋体連結突部
１−３  ヒンジ部
２  基板
２−１  開孔部
２−２  破断対象基板部
２−２１  電源回路
２−２２  最後尾端面
３  認証手段
３−１  テンキー
４  係合片変位手段
４−１  係合キー
４−２  解除キー
４−３  ソレノイド
５  Ｌ字状係合片
５−１  立ち上がり部
５−２  延出部
５−３  回動軸
６  Ｉ字状係合片
７  電力供給線
８  バックアップ電源
９  固定手段
９−１  ワンウエイネジ
【図１】
2010094279.tif 000003
【図２】
2010094279.tif 000004
【図３】
2010094279.tif 000005
【図４】
2010094279.tif 000006
【図５】
2010094279.tif 000007